(57)【要約】【課題】電力業務に用いられる設備に関する多数の項目に対応させたデータを効率よく管理することができるようにする。【解決手段】電力業務に用いられる設備に関する多数の項目に対応するデータを管理する情報処理システムによる情報処理方法において、前記データを記憶し、前記データの変更入力を受け付け、前記変更入力に応じて前記データ記憶部に記憶している前記データを変更し、前記データの変更がなされた前記項目を検索し、前記項目及び前記データを一覧的にディスプレイに表示するとともに、検索された前記項目もしくは前記データを強調表示するようにする。【選択図】  図１
2005275751.tif 000002
【特許請求の範囲】
【請求項１】
電力業務に用いられる設備に関する多数の項目に対応するデータを管理する情報処理システムによる情報処理方法であって、
前記データを記憶し、
前記データの変更入力を受け付け、
前記変更入力に応じて前記データ記憶部に記憶している前記データを変更し、
前記データの変更がなされた前記項目を検索し、
前記項目及び前記データを一覧的にディスプレイに表示するとともに、検索された前記項目もしくは前記データを強調表示すること、
を特徴とする情報処理システムによる情報処理方法。
【請求項２】
請求項１に記載の情報処理システムによる情報処理方法であって、
前記データの変更入力を受け付けるに際し、前記変更入力を受け付けるための入力欄をディスプレイに表示するとともに、前記データ記憶部に既に記憶されているデータを前記入力欄に自動的に入力することを特徴とする情報処理システムによる情報処理方法。
【請求項３】
請求項１または２に記載の情報処理システムによる情報処理方法であって、
前記データとして記述されるコードと前記コードに対応する文字列とを対応づけて記憶し、
前記データを一覧的にディスプレイに表示する際に、前記データに対応する文字列をディスプレイに表示することを特徴とする情報処理システムによる情報処理方法。
【請求項４】
電力業務に用いられる設備に関する多数の項目に対応するデータを管理する情報処理システムであって、
前記データの管理を行っている委託元に設置される第一の情報処理装置と、前記第一の情報処理装置に通信可能に接続され、前記データに関する代行業務を行っている委託先に設置される第２の情報処理装置と、を備え、
前記第一の情報処理装置は、
前記設備の設定や制御に関する項目のそれぞれに対応するデータを記憶する第一のデータ記憶部と、
前記データ記憶部に既に記憶されている前記データに基づいて前記電力業務に新たに適用される前記設備についての伝送項目表を生成する伝送項目表生成部と、
実際の停電工程に基づいて定められる停電切換作業日の入力を受け付ける作業日受付部と、
前記伝送項目表に基づいて前記データを修正するためのデータである修正データを作成する修正データ作成部と、
前記停電切換作業日を付加した前記修正データを委託先の前記第二の情報処理装置に送信する第一のデータ送信部と、を備え、
前記第二の情報処理装置は、
前記設備に関する項目のそれぞれに対応するデータを記憶する第二のデータ記憶部と、
前記第一の情報処理装置から送信されてくる前記修正データを受信して記憶する修正データ記憶部と、
前記修正データによる修正に関連して変更する必要があるデータを抽出する関連データ抽出部と、
前記修正データに基づいて前記第二のデータ記憶部に記憶されている前記データを更新するデータ更新部と、
前記関連データ抽出部により抽出されたデータを更新する関連データ更新部と、
前記設備が実際に適用される切換作業日ごとのデータに分割するデータ分割部と、
前記切換作業日ごとの前記データを前記第一の情報処理装置に送信する第二のデータ送信部と、を備え、
前記第一の情報処理装置は、
前記第二の情報処理装置から送信されてくる前記データを受信して記憶する第三のデータ記憶部と、
前記修正データと前記承認データとのマッチング処理によりテーブルデータの内容が異なる項目を抽出し、抽出された前記項目または前記項目に対応するテーブルデータをディスプレイに強調表示する差分表示部と、
前記項目のうち作業時に特定の項目を記憶し、前記特定の項目のテーブルデータをディスプレイに強調表示する特定項目強調表示部と、
を備えることを特徴とする情報処理システム。
【請求項５】
請求項４に記載の情報処理システムにおいて、
前記設備は、監視制御装置、情報集配信装置、給電情報集配信装置のうちの少なくともいずれかであること、を特徴とする情報処理システム。
【発明の詳細な説明】
【技術分野】
【０００１】
この発明は、電力業務に用いられる設備に関する多数の項目に対応させたデータを管理するための情報処理システムに関し、とくに膨大な項目に対応するデータを効率よく管理するための技術に属する。
【背景技術】
【０００２】
電力会社においては、各所に散在する変電所等の電気所における電力設備の監視や制御に関するデータ等、電力業務に用いられる各種設備についての複雑かつ膨大なデータが管理されている。これらのデータは、例えば、電力設備の監視や制御を行うために大規模制御所等に設置されている、遠方監視制御装置や情報集配信装置、給電情報集配信装置等の設備（以後、電力監視制御設備と称する）において記憶され管理されている。
【特許文献１】特開２００３−１９９２５０号公報
【発明の開示】
【発明が解決しようとする課題】
【０００３】
ところで、電力監視制御設備は、耐用年数の経過や新機種への交換等のために適宜入れ換えが行われるが、この入れ換えに際しては、これら電力監視制御設備に記憶されているデータのメンテナンスが必要となる。ここでこのメンテナンスにおいては、複雑かつ膨大なデータの中から変更対象となるデータを適切に把握し、把握された変更対象のデータに対して正しく変更を行う必要がある。また、機械化処理を容易化する等の理由により、データはコード化されて管理されていることが多く、上記メンテナンスには豊富な知識と経験も必要とされる。しかしながら、作業効率を向上させるためには、知識や経験を必要とすることなく、簡便かつ確実にメンテナンスが行えるような仕組みが求められる。
【０００４】
この発明は、このような背景に鑑みてなされたもので、電力業務に用いられる設備に関する多数の項目に対応させたデータを効率よく管理することができる情報処理システムによる情報処理方法及び情報処理システムを提供することを目的とする。
【課題を解決するための手段】
【０００５】
上記目的を達成するための本発明のうち請求項１に記載の発明は、電力業務に用いられる設備に関する多数の項目に対応するデータを管理する情報処理システムによる情報処理方法であって、前記データを記憶し、前記データの変更入力を受け付け、前記変更入力に応じて前記データ記憶部に記憶している前記データを変更し、前記データの変更がなされた前記項目を検索し、前記項目及び前記データを一覧的にディスプレイに表示するとともに、検索された前記項目もしくは前記データを強調表示することとする。  
このように変更がなされた項目やデータが強調表示されることで、作業者は表示されている多数のテーブルデータのうちどの項目について変更がなされたのかを容易に把握することができる。
【０００６】
請求項２に記載の発明は、請求項１に記載の情報処理システムによる情報処理方法であって、前記データの変更入力を受け付けるに際し、前記変更入力を受け付けるための入力欄をディスプレイに表示するとともに、前記データ記憶部に既に記憶されているデータを前記入力欄に自動的に入力することとする。  
このように既存のデータが入力欄に自動的に入力されることで、データを手入力する手間が省略され、データの入力作業を効率よく進めることができるようになる。
【０００７】
請求項３に記載の発明は、請求項１または２に記載の情報処理システムによる情報処理方法であって、前記データとして記述されるコードと前記コードに対応する文字列とを対応づけて記憶し、前記データを一覧的にディスプレイに表示する際に、前記データに対応する文字列をディスプレイに表示することとする。  
このようにデータがコードとして記憶され管理されている場合に、コードがその内容を人が容易に把握できる文字列に変換されて表示されることで、作業者等は豊富な知識や経験を必要とすることなく、簡便かつ確実に効率よくデータを管理することができる。
【０００８】
請求項４に記載の発明は、電力業務に用いられる設備に関する多数の項目に対応するデータを管理する情報処理システムであって、前記データの管理を行っている委託元に設置される第一の情報処理装置と、前記第一の情報処理装置に通信可能に接続され、前記データに関する代行業務を行っている委託先に設置される第２の情報処理装置と、を備え、前記第一の情報処理装置は、前記設備の設定や制御に関する項目のそれぞれに対応するデータを記憶する第一のデータ記憶部と、前記データ記憶部に既に記憶されている前記データに基づいて前記電力業務に新たに適用される前記設備についての伝送項目表を生成する伝送項目表生成部と、実際の停電工程に基づいて定められる停電切換作業日の入力を受け付ける作業日受付部と、前記伝送項目表に基づいて前記データを修正するためのデータである修正データを作成する修正データ作成部と、前記停電切換作業日を付加した前記修正データを委託先の前記第二の情報処理装置に送信する第一のデータ送信部と、を備え、前記第二の情報処理装置は、前記設備に関する項目のそれぞれに対応するデータを記憶する第二のデータ記憶部と、前記第一の情報処理装置から送信されてくる前記修正データを受信して記憶する修正データ記憶部と、前記修正データによる修正に関連して変更する必要があるデータを抽出する関連データ抽出部と、前記修正データに基づいて前記第二のデータ記憶部に記憶されている前記データを更新するデータ更新部と、前記関連データ抽出部により抽出されたデータを更新する関連データ更新部と、前記設備が実際に適用される切換作業日ごとのデータに分割するデータ分割部と、前記切換作業日ごとの前記データを前記第一の情報処理装置に送信する第二のデータ送信部と、を備え、前記第一の情報処理装置は、前記第二の情報処理装置から送信されてくる前記データを受信して記憶する第三のデータ記憶部と、前記修正データと前記承認データとのマッチング処理によりテーブルデータの内容が異なる項目を抽出し、抽出された前記項目または前記項目に対応するテーブルデータをディスプレイに強調表示する差分表示部と、前記項目のうち作業時に特定の項目を記憶し、前記特定の項目のテーブルデータをディスプレイに強調表示する特定項目強調表示部と、を備えることとする。
【０００９】
この発明によれば、前記データ記憶部に既に記憶されている前記データに基づいて前記電力業務に新たに適用される前記設備についての伝送項目表を生成する。これによりデータの入力作業を効率よく進めることができる。また、停電切換作業日を付加した前記修正データを委託先の前記第二の情報処理装置に送信する。これにより委託元から委託先に修正データを迅速に受け渡すことができ、紙資源の節約も図られる。また、修正データに基づいて第二のデータ記憶部に記憶されているデータを更新する。これにより委託先における作業が軽減され、データの品質も向上する。また、修正データによる修正に関連して変更する必要があるデータを抽出し、関連データ抽出部により抽出されたデータを更新する。これにより委託先では関連するデータを検索する手間が省けるとともに修正が必要なデータが確実に網羅され、データの品質も向上する。また、委託先において設備が実際に適用される切換作業日ごとのデータに分割される。これにより従来手作業により行っていた切換作業部ごとのデータに分割する委託先の作業負荷が軽減されることとなる。また、第一の情報処理装置は、修正データと前記承認データとのマッチング処理によりテーブルデータの内容が異なる項目を抽出し、抽出された前記項目またはその項目のテーブルデータをディスプレイに強調表示する。これにより委託元の作業者は、更がなされた項目を容易に把握することができる。また、作業者は変更後のテーブルデータの内容を容易に確認することができる。
【００１０】
請求項５に記載の発明は、請求項４に記載の情報処理システムにおいて、前記設備は、監視制御装置、情報集配信装置、給電情報集配信装置のうちの少なくともいずれかであることとする。
【発明の効果】
【００１１】
この発明によれば、電力業務に関する設備に関する多数の項目に対応させたデータを効率よく管理することができる。
【発明を実施するための最良の形態】
【００１２】
以下、本発明の一実施形態である情報処理システム１について、図面とともに詳細に説明する。
【００１３】
情報処理システム１の概略的な構成を図１に示している。情報処理システム１は、発電所から送電線、変電所、配電線を経て、企業や一般家庭等の電力消費地（負荷）に電力供給を行っている電力系統２を構成している、電力設備をはじめとする各種設備についての維持・管理を行っている電力会社等の組織に適用される。これら設備を運用し管理するために、情報処理システム１では電力業務に用いられる設備に関する多数の項目に対応するデータ（以下、テーブルデータと称する）が管理されている。
【００１４】
図１において、遠方監視制御装置３は、ＣＰＵ、メモリ、通信インタフェース等を備えるコンピュータである。遠方監視制御装置３は、電力会社等によって運用される大規模制御所５に設置されている情報集配信装置６との間で第一の通信ネットワーク４を介して通信を行う。遠方監視制御装置３は、電力設備の計測・監視・制御に必要な各種の情報を情報集配信装置６に通知する。情報集配信装置６は、専用線などの第一の通信ネットワーク４を介して遠方監視制御装置３にテーブルデータを設定することができる。テーブルデータには、発電所や変電所等の営業所に設置され電力設備を計測・監視・制御するための装置である遠方監視制御装置３の設定や制御に関する情報が管理されている。前記情報としては、例えば、送電線，母線，配電線，変圧器，調相，水力発電所におけるダム設備に関する情報や、各種記録項目などがある。
【００１５】
情報処理システム１は、大規模制御所５（以下、委託元５とも称する）に設置されている第一の情報処理装置１０と、電力会社がデータ入力等の業務委託を行っているデータ入力代行会社７（以下、委託先７とも称する）において運用され、第一の情報処理装置１０と専用線やインターネット等の第二の通信ネットワーク８を介して通信可能に接続されている第二の情報処理装置２０とを含んで構成される。第一の情報処理装置１０では、データベース（以後、委託元データベース１２と称する）が運用されている。委託元データベース１２には、テーブルデータ１３が登録されている。また、第二の情報処理装置２０では、データベース（以後、委託先データベース２２と称する）が運用されている。委託先データベース２２には、テーブルデータ２３が登録されている。
【００１６】
第一の情報処理装置１０は、ＣＰＵ、メモリ、ハードディスク装置、ＣＤ−ＲＯＭ・ＤＶＤ−ＲＯＭ等の記録媒体読取装置、通信インタフェースを備えるコンピュータである。例えばパーソナルコンピュータやメインフレームなどが第一の情報処理装置１０として用いられる。第一の情報処理装置１０は、通信インタフェースによって情報集配信装置６と通信可能に接続している。また第一の情報処理装置１０は、マウスやキーボード等の入力インタフェース、ディスプレイやプリンタ等の出力インタフェースをユーザインタフェースとして備える。第一の情報処理装置１０では、委託元５において提供される機能を実現しているアプリケーションプログラム（以後、委託元プログラム１１と称する）が実行されている。委託先７の第二の情報処理装置２０のハードウエア構成は、第一の情報処理装置１０のハードウエア構成と基本的に同じである。第二の情報処理装置２０では、委託先７において提供される機能を実現しているアプリケーションプログラム（以後、委託先プログラム２１と称する）が実行されている。委託元プログラム１１や委託先プログラム２１は、例えばＣＤ−ＲＯＭやＤＶＤ−ＲＯＭ等の記録媒体により、もしくは、適宜な通信手段を通じて他のサーバ装置等からダウンロードされることにより、第一の情報処理装置１０や第二の情報処理装置２０にそれぞれ供給される。
【００１７】
次に、本実施形態の情報処理システム１において行われるデータメンテナンスに関する処理について詳述する。なお、以下に説明する処理は、耐用年数の経過や新規機種への代替時期などにおいて、既設の遠方監視制御装置３を新たな遠方監視制御装置３に入れ換える際などに行われる。
【００１８】
図２はデータメンテナンスに関する処理を説明するフローチャートである。まず委託元５の作業者が、既設の遠方監視制御装置３と入れ替えられる新たな遠方監視制御装置３の伝送項目表を作成する。この伝送項目表の作成は、委託元プログラム１１の機能（伝送項目表生成部）を利用して行われる。新たな遠方監視制御装置３の伝送項目表を作成する（Ｓ１１０）。図３はこの伝送項目表の作成に際し、委託元プログラム１１によって第一の情報処理装置１０のディスプレイに表示される画面の一例である。この画面３００には、伝送項目表の変更入力を受け付けるための入力欄が表示されている。この画面の既存のデータの表示欄３１１には、委託元データベース１２にテーブルデータ１３として登録されている既存の伝送項目表のデータが自動的に表示されている。委託元５の作業者は、この画面に設けられている「取込」ボタン３１２をクリック等することにより、既存のデータの表示欄３１１に表示されている既存のデータを、新規入力欄３１３の対応する入力欄に自動的に入力させることができる。また、委託元５の作業者は、この画面に表示されている「並べ替え」ボタン３１４をクリック等することにより、新規入力欄３１３に表示されているデータ項目の並び順を変更することができる。なお、従来、委託元５の作業者は手元の印刷物を参照するなどして手入力により伝送項目表を作成していたが、このように既存のデータを利用して作業を効率よく進めることができる。また既存のデータを利用できるため、入力ミスを防ぐことができる。
【００１９】
次に委託元５の作業者は、電力系統２における実際の停電工程に基づいて定められる停電切換作業日を委託元プログラム１１に入力する。なお、この入力は例えば新たな遠方監視制御装置３を業者に発注するタイミングで行われる。停電切換作業日の入力を受け付けると（作業日受付部）、委託元プログラム１１はこれを記憶する（Ｓ１１１）。次に委託元プログラム１１は、受け付けた停電切換作業日に基づいて、新たに作成されて委託元データベース１２に登録されている伝送項目表の各項目について、上記入力された停電切換作業日を設定した切換項目表を作成し、これを委託元データベース１２に登録する（Ｓ１１２）。ここで従来、このような切換項目表の作成は、作業者の手作業により行なわれていたが、本実施形態の情報処理システム１にあっては停電切換作業日を入力するだけで自動的に切換項目表が作成される。このため、作業者にかかる作業負荷が従来に比べて大幅に軽減され、手作業の場合に生じる可能性のあった人為的なミスも防ぐことができる。
【００２０】
次に委託元５の作業者は、委託元プログラム１１の機能を利用して、新たに作成されて委託元データベース１２に登録されている伝送項目表に基づいてテーブル修正データを作成する（修正データ作成部）（Ｓ１１３）。このテーブル修正データは、委託先７の第二の情報処理装置２０の後述する委託先データベース２２において管理されているテーブルデータ２３の内容を更新するために用いられる。委託元５の作業者は、作成されたテーブル修正データを委託先７の第二の情報処理装置２０に送信する（第一のデータ送信部）（Ｓ１１１４）。なお、このテーブル修正データの送信に際しては、入力された上述の停電切換作業日もあわせて送信される。この送信は、委託元プログラム１１の機能と委託先プログラム２１の機能との間で直接行なわれるようにすることもできるし、第一の情報処理装置１０から第二の情報処理装置２０に対してテーブル修正データを電子メールによって送信した後、委託先プログラム１１のデータ取込み機能を利用して取り込むようにすることもできる。なお、上記いずれの方法で送信する場合でも、テーブル修正データは、委託元プログラム１１から委託先プログラム２１に対して容易にデータのリンクが可能なシームレスなデータフォーマットとして送信されることになる。なお、従来、テーブル修正データはこれを記載した印刷物を送付することにより委託元５から委託先７に渡していたが、本実施形態の情報処理システムにおいては、上記のようにテーブル修正データが電子データ等として第二の通信ネットワーク８を介して委託先７に送信される。このため、委託元５から委託先７に対して迅速にテーブル修正データを渡すことが可能である。またこれにより紙資源の節約も図られる。
【００２１】
第二の情報処理装置２０で動作する委託先プログラム２１は、第一の情報処理装置１０からテーブル修正データが送信されてくると、これを受信して記憶する（受信データ記憶部）（Ｓ１１５）。次に委託先データベース２２は、テーブル修正データにより委託先データベース２２のテーブルデータ２３の内容を更新する（データ更新部）（Ｓ１１６）。これにより委託先データベース２２のテーブルデータ２３の内容が更新される。委託先プログラム２１は、第一情報処理装置１０から送信されてくる停電切換作業日を委託先データベース２２に登録する。
【００２２】
なお、従来、委託先データベース２２のテーブルデータ２３の更新は、委託元５から印刷物として送付されてくる資料を委託先７の作業者が参照しながら手入力することにより行われていた。しかしながら本実施形態の情報処理システム１では、テーブルデータ２３の更新が委託先プログラム２１の機能によって自動的に行われることで、委託先７の作業者の作業が大幅に軽減されることとなる。また、これにより入力ミスも防ぐことができ、テーブルデータ２３の内容の正確性も担保されることになる。
【００２３】
次に委託先プログラム２１は、テーブル修正データによる修正に関連して変更する必要があるテーブルデータを抽出し（関連データ抽出部）、抽出したデータの変更を促す画面をディスプレイに表示して委託先７の作業者にテーブルデータの変更を促す（Ｓ１１７）。委託先プログラム２１は、作業者がテーブルデータ２３の変更のための操作を行うと、該当のテーブルデータ２３を更新する（関連データ更新部）（Ｓ１１８）。この機能によれば、委託先７の作業者は、従来のように自ら変更が必要なテーブルデータを抽出する必要がなくなり、委託先７の作業者はテーブル修正データによる修正に関連して変更する必要があるテーブルデータの変更を効率よく行うことができる。また、変更する必要があるテーブルデータが自動的に表示されることで、変更漏れを防ぐことができる。
【００２４】
委託先データベース２２の内容が更新されると、次に委託先７の作業者は、更新された各テーブルデータ２３を第一の情報処理装置１０から送信されて委託先データベース２２に登録されている停電切換作業日ごとに分割する（データ分割部）。そして委託先プログラム２１は、停電切換作業日ごとに分割されたデータを委託先データベース２２に登録する（Ｓ１１９）。なお、従来、テーブルデータ２３の停電切換作業日ごとの分割は、委託先７の作業者が、委託元５で作成される遠方監視制御装置３の伝送項目表に追記されている停電切換作業日を参照しながら手作業により行っていた。しかしながらこのように委託先７において自動的に停電切換作業日ごとのテーブルデータ２３の分割が行われことで、委託先７の作業者の作業負荷が大幅に軽減される。また委託先７における作業効率も大幅に改善される。
【００２５】
次に、委託先７の作業者は、委託先のデータベース２２に登録されている停電切換作業日ごとに分割されたテーブルデータ（以後、承認データと称する）を、電子メールなどの形式で第二の通信ネットワーク８を介して第一の情報処理装置１０に送信する（第二のデータ送信部）（Ｓ１２０）。
【００２６】
第一の情報処理装置１０が前記承認データを受信すると、委託元５の作業者は受信した前記承認データを委託元プログラム１１の機能を利用して委託元５のデータベース１２に登録する（第三のデータ記憶部）（Ｓ１２１）。委託元５の作業者は、前記承認データが委託元５のデータベース１２に登録されると、承認データについての審査を行う。この審査では承認データに委託元５から委託先７に送信したテーブル修正データに対応した変更がなされているかどうか等の確認が行われる（Ｓ１２２）。委託元プログラム１１は、委託元５の作業者が前記の審査を簡便に行うための各種の機能を提供する。
【００２７】
図４は、前記の審査に関する機能において、委託元プログラム１１が第一の情報処理装置１０のディスプレイに表示する画面の一例である。この画面４００には、委託元データベース１２に登録されているテーブルデータが項目別に表示されている。この画面には、変更前のテーブルデータが上段４１１に、変更後のテーブルデータが下段４１２に表示されている。委託元プログラム１１は、テーブル修正データと承認データとのマッチング処理を行って、テーブルデータの内容が異なっている項目を抽出する。そして委託元プログラム１１は、抽出した項目やテーブルデータを、太枠線表示、太字表示、網掛け表示、斜体表示、色分け表示等を施したりすることにより強調表示する（差分表示部）（図４の符号４１３で示す部分）。この機能によれば、委託元５の作業者は、表示される多数のテーブルデータの中から、変更がなされた項目がどの項目であるのかを容易に把握することができる。なお、委託元プログラム１１は、委託元の作業者５が、テーブルデータの変更に際して失念しやすい項目を記憶しており、それらの項目についても強調表示して委託元５の作業者に注意を促す（特定項目強調表示部）。これにより委託元５の作業者は、細心の注意を払って作業を進めるようになり、作業ミスをより確実に防ぐことができる。
【００２８】
ところで、テーブルデータの内容は、文字列を符号化したコードで表記された状態で管理されることもあるが、本実施形態の委託元プログラム１１は、テーブルデータの内容は理解しやすい文字列に変換して画面に表示する機能を備えている。このため、コード表記されたデータを読み慣れていない作業者であっても、審査を効率よく進めることができる。なお、この機能は、例えば委託元データベース１２にコードと文字列との対応を登録しておき、画面表示の際に委託元プログラム１１が前記対応に基づいてコード表記されているテーブルデータを文字列に置き換えて表示することにより実現される。
【００２９】
上記審査の結果、承認データにテーブル修正データに対応した変更がなされていないなどの不具合が発見された場合には、委託元５の作業者は電子メール等により委託先７の作業者に対して修正指示を通知する。委託先７の作業者は、前記修正指示に応じて承認データの修正を行う。なお、この修正は委託先プログラム２１の機能を利用して行なわれる。委託先７の作業者は、修正後の承認データを電子メール等により委託元５に送信する。
【００３０】
委託元５の作業者と委託先７の作業者との間で以上のやりとりが行われた結果、承認データに不具合がないことが確認された場合には、承認データについて承認した旨の通知が委託元５の作業者から委託先７の作業者に電子メールなどによりなされる。そして以上の処理が行われた後は、委託先７から委託元５に対して承認申請図等の作業関連書類の返却等、事後的な処理が行われることとなる。
【００３１】
なお、以上の説明は本発明の理解を容易にするためのものであり、本発明を限定するものではない。本発明はその趣旨を逸脱することなく、変更、改良等され得ると共に、本発明にはその等価物が含まれることは勿論である。
【図面の簡単な説明】
【００３２】
【図１】本発明の一実施形態よる情報処理システムの一例を示す図である。
【図２】本発明の一実施形態による情報処理システムを用いて行われるデータメンテナンスに関する処理の流れを説明するフローチャートを示す図である。
【図３】本発明の一実施形態による情報処理システムが新たな伝送項目表の作成に際し、委託元プログラム１１が第一の情報処理装置１０のディスプレイに表示する画面を示す図である。
【図４】本発明の一実施形態による情報処理システムの審査に関する機能において、委託元プログラム１１が第一の情報処理装置１０のディスプレイに表示する画面の一例を示す図である。
【符号の説明】
【００３３】
１  情報処理システム
２  電力系統
３  遠方監視制御装置
４  第一の通信ネットワーク
５  委託元（大規模制御所）
６  情報集配信装置
７  委託先（データ入力代行会社）
８  第二の通信ネットワーク
１０  第一の情報処理装置
１１  委託元プログラム
１２  委託元データベース
１３  テーブルデータ
２０  第二の情報処理装置
２１  委託先プログラム
２２  委託先データベース
２３  テーブルデータ
【図１】
2005275751.tif 000003
【図２】
2005275751.tif 000004
【図３】
2005275751.tif 000005
【図４】
2005275751.tif 000006